【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
画像において前記画像から分割する特定領域を特定する特定手段と、
前記特定手段によって特定された前記特定領域の境界の前記境界らしさを評価する評価値を算出し、前記評価値に基づいて前記境界としての適正を評価する境界適正評価手段と、
前記評価値に基づいて、前記境界の近傍であって前記境界を含む不定領域の幅を設定し、前記画像に対して前記特定領域、前記特定領域以外の領域および前記不定領域からなるトライマップを作成するトライマップ作成手段と、
前記トライマップの前記不定領域においてグラフカット法によって前記特定領域と前記特定領域以外の領域とを分割する分割手段と、
を備える、
ことを特徴とする画像処理装置。
【請求項２】
前記特定手段は、人物画像において前記人物画像から、前記特定領域としての顔領域と前記特定領域以外の領域としての背景領域とを分割することを特徴とする請求項１記載の画像処理装置。
【請求項３】
前記境界適正評価手段は、前記特定手段によって特定された前記顔領域の画素と前記背景領域の画素との色差の大きさに応じて、評価のための感度に関するパラメータを変更することを特徴とする請求項２記載の画像処理装置。
【請求項４】
前記境界適正評価手段は、顎と首との境界領域と、前記顎以外の頭部と前記背景領域との境界領域と、で評価のための感度に関する前記パラメータを異なるようにすることを特徴とする請求項３記載の画像処理装置。
【請求項５】
前記トライマップ作成手段は、前記評価値に応じて、異なる領域毎に前記トライマップの前記不定領域の幅を異なるように設定することを特徴とする請求項１乃至４のいずれか１項に記載の画像処理装置。
【請求項６】
前記トライマップ作成手段は、顎と首との境界領域と、前記顎以外の頭部と背景領域との境界領域と、で前記トライマップの前記不定領域の幅を異なるように設定することを特徴とする請求項５記載の画像処理装置。
【請求項７】
前記トライマップ作成手段は、前記顎と前記首との境界領域における前記不定領域の幅を、前記顎以外の前記頭部と前記背景領域との境界領域における前記不定領域の幅よりも細く設定することを特徴とする請求項６記載の画像処理装置。
【請求項８】
画像において前記画像から分割する特定領域を特定し、
特定された前記特定領域の境界の前記境界らしさを評価する評価値を算出し、前記評価値に基づいて前記境界としての適正を評価し、
前記評価値に基づいて、前記境界の近傍であって前記境界を含む不定領域の幅を設定し、前記画像に対して前記特定領域、前記特定領域以外の領域および前記不定領域からなるトライマップを作成し、
前記トライマップの前記不定領域においてグラフカット法によって前記特定領域と前記特定領域以外の領域とを分割する、
ことを特徴とする画像処理方法。
【請求項９】
画像において前記画像から分割する特定領域を特定するステップと、
特定された前記特定領域の境界の前記境界らしさを評価する評価値を算出し、前記評価値に基づいて前記境界としての適正を評価するステップと、
前記評価値に基づいて、前記境界の近傍であって前記境界を含む不定領域の幅を設定し、前記画像に対して前記特定領域、前記特定領域以外の領域および前記不定領域からなるトライマップを作成するステップと、
前記トライマップの前記不定領域においてグラフカット法によって前記特定領域と前記特定領域以外の領域とを分割するステップと、
をコンピュータに実行させる、
ことを特徴とするプログラム。
【手続補正２】
【補正対象書類名】明細書
【補正対象項目名】０００４
【補正方法】変更
【補正の内容】
【０００４】
この問題を解決するため、大まかな輪郭を取得した後、Ｇｒａｐｈ  Ｃｕｔｓ法（以下「グラフカット」と記載する）と呼ばれる技術を用いてより正確な輪郭を取得する方法が知られている（例えば非特許文献１、特許文献１に記載の技術）。
【手続補正３】
【補正対象書類名】明細書
【補正対象項目名】００１０
【補正方法】変更
【補正の内容】
【００１０】
前記目的を達成するため、本発明の画像処理機器の一態様は、画像において前記画像から分割する特定領域を特定する特定手段と、前記特定手段によって特定された前記特定領域の境界の前記境界らしさを評価する評価値を算出し、前記評価値に基づいて前記境界としての適正を評価する境界適正評価手段と、前記評価値に基づいて、前記境界の近傍であって前記境界を含む不定領域の幅を設定し、前記画像に対して前記特定領域、前記特定領域以外の領域および前記不定領域からなるトライマップを作成するトライマップ作成手段と、前記トライマップの前記不定領域においてグラフカット法によって前記特定領域と前記特定領域以外の領域とを分割する分割手段と、を備える、ことを特徴とする。
また、前記目的を達成するため、本発明の画像処理方法の一態様は、画像において前記画像から分割する特定領域を特定し、特定された前記特定領域の境界の前記境界らしさを評価する評価値を算出し、前記評価値に基づいて前記境界としての適正を評価し、前記評価値に基づいて、前記境界の近傍であって前記境界を含む不定領域の幅を設定し、前記画像に対して前記特定領域、前記特定領域以外の領域および前記不定領域からなるトライマップを作成し、前記トライマップの前記不定領域においてグラフカット法によって前記特定領域と前記特定領域以外の領域とを分割する、ことを特徴とする。
また、前記目的を達成するため、本発明のプログラムの一態様は、画像において前記画像から分割する特定領域を特定するステップと、特定された前記特定領域の境界の前記境界らしさを評価する評価値を算出し、前記評価値に基づいて前記境界としての適正を評価するステップと、前記評価値に基づいて、前記境界の近傍であって前記境界を含む不定領域の幅を設定し、前記画像に対して前記特定領域、前記特定領域以外の領域および前記不定領域からなるトライマップを作成するステップと、  前記トライマップの前記不定領域においてグラフカット法によって前記特定領域と前記特定領域以外の領域とを分割するステップと、をコンピュータに実行させる、ことを特徴とする。
【手続補正４】
【補正対象書類名】明細書
【補正対象項目名】００１６
【補正方法】変更
【補正の内容】
【００１６】
ここで、頭部輪郭フィッティング部１０８は、顔検出部１０１によって特定された顔領域の画素と背景領域の画素との色差の大きさに応じて、評価のための感度に関するパラメータを変更するように構成できる。具体的には、頭部輪郭フィッティング部１０８は、顎と首の境界領域と、顎以外の頭部と背景領域との境界領域と、で評価のための感度に関するパラメータを異なるように構成できる。
【手続補正５】
【補正対象書類名】明細書
【補正対象項目名】００１７
【補正方法】変更
【補正の内容】
【００１７】
トライマップ作成部１０３は、評価値に基づいて輪郭近傍の不定領域の幅を設定しながら、画像に対して顔領域、顔領域以外の背景領域、および不定領域からなるトライマップを作成する。具体的には、トライマップ作成部１０３は、前述の評価値に応じて、異なる領域毎にトライマップの不定領域の幅を異なるように設定することができる。より具体的には、トライマップ作成部１０３は、顎と首の境界領域と、顎以外の頭部と背景領域との境界領域と、でトライマップの不定領域の幅を異なるように設定することができる。
【手続補正６】
【補正対象書類名】明細書
【補正対象項目名】００３０
【補正方法】変更
【補正の内容】
【００３０】
次に、ＣＰＵ１０１は、ステップＳ３０３およびＳ３０４で取得した頭部輪郭Ｃｈと顎輪郭Ｃａとから、トライマップを作成する（ステップＳ３０５）。トライマップは、ステップＳ３０６でのグラフカット処理の際に使用する情報で、画像の各画素に、前景、背景、不定のいずれかのラベルを与えたものである。この処理において、ＣＰＵ１０１は、ステップＳ３０３とＳ３０４で取得した頭部輪郭Ｃｈおよび顎輪郭Ｃａの周辺画素を不定にする。
【手続補正７】
【補正対象書類名】明細書
【補正対象項目名】００３３
【補正方法】変更
【補正の内容】
【００３３】
ステップＳ３０５において、評価値から不定領域の幅Ｗｈを決める例としては、評価値にエッジの勾配強度などを使って、勾配強度が強い所はエッジらしさが高いので、不定領域の幅Ｗｈを狭くし、勾配強度の弱いところはエッジらしさが低いので、不定領域の幅Ｗｈを広くするなどの手法を採用できる。グラフカットは、トライマップで得られた不定領域について探索処理を実行し、その画素の中から前景と背景の最適な境界を探す手法である。顔の切抜きにおいては、顔の輪郭周辺を不定とすることで、最適な顔の輪郭が得られる。このとき、頭部輪郭Ｃｈは、頭髪と背景の色の差で、グラフカットにより、正確に輪郭を得ることができるが、顎輪郭Ｃａは、顎の色と首の色の差がほとんどないことが多いため、グラフカットで正しい輪郭を取得することが困難である。そこで、本実施形態では、トライマップの作成において、図４に示すように、頭部輪郭Ｃｈを中心とした幅Ｗｈの領域を不定領域とし、顎輪郭Ｃａに沿った１画素の幅の領域を不定領域とするものである。
なお、ここでは、顎輪郭Ｃａに沿った１画素の幅の領域を不定領域としているが、１画素に限ることなく、２画素あるいはそれ以上であってもよい。
【手続補正８】
【補正対象書類名】図面
【補正対象項目名】図１
【補正方法】変更
【補正の内容】
【図１】
2016045744.tif 000001